(57)【要約】【課題】折り返し状の紐体に留め具を挿着し、使用者の首回りにループを周回し、ネクタイとして使用することになり、この際、紐体の一方の自由端部に設けられた取付リングに眼鏡フレームの一方のテンプルを挿通することにより眼鏡フレームを耳から外したときに首から眼鏡フレームを吊り下げることができ、眼鏡使用中に不用意に眼鏡が地面に落下することを防ぐことができ、眼鏡の付け外しを容易に行うこともでき、眼鏡の紛失も防ぐこともでき、ループタイの用途に加えて眼鏡吊下機能を付加することができる。【解決手段】折り返し状の紐体１に使用者Ｗの首回りに周回可能なループＲを形成する為の留め具２を装着してなり、紐体の一方の自由端部１ｂに眼鏡フレームＦの一方のテンプルＴに挿通可能な取付リング３を設けてなる。【選択図】図１
0003111314.tif 000002
【実用新案登録請求の範囲】
【請求項１】
折り返し状の紐体に使用者の首回りに周回可能なループを形成する為の留め具を装着してなり、上記紐体の一方の自由端部に眼鏡フレームの一方のテンプルに挿通可能な取付リングを設けてなることを特徴とするループタイ。
【請求項２】
上記紐体の一方の自由端部と上記取付リングとの間に自由回転具を設けてなることを特徴とする請求項１記載のループタイ。
【請求項３】
上記留め具は装飾体からなることを特徴とする請求項１又は２記載のループタイ。
【請求項４】
上記留め具に上記眼鏡フレームのテンプルを挿通可能な保持穴部を設けてなることを特徴とする請求項１〜３のいずれか１項に記載のループタイ。
【請求項５】
上記紐体の長さを上記取付リングに眼鏡フレームの一方のテンプルが挿通された状態のテンプルを使用者の胸ポケットに吊下可能な長さに設けてなることを特徴とする請求項１〜４のいずれか１項に記載のループタイ。
【考案の詳細な説明】
【技術分野】
【０００１】
本考案は例えばネクタイの代替品として用いられるループタイに関するものである。
【背景技術】
【０００２】
従来、この種のループタイとして、折り返し状の紐体に使用者の首回りに周回可能なループを形成する為の留め具を装着した構造のものが知られている。
【特許文献１】特開平１０−１１０３１１号公報
【考案の開示】
【考案が解決しようとする課題】
【０００３】
しかしながらこの従来構造の場合、ループタイとしての使用以外の機能が無く、使用の融通性に乏しいことがあるという不都合を有している。
【課題を解決するための手段】
【０００４】
本考案はこれらの不都合を解決することを目的とするもので、本考案のうちで、請求項１記載の考案は、折り返し状の紐体に使用者の首回りに周回可能なループを形成する為の留め具を装着してなり、上記紐体の一方の自由端部に眼鏡フレームの一方のテンプルに挿通可能な取付リングを設けてなることを特徴とするループタイにある。
【０００５】
又、請求項２記載の考案は、上記紐体の一方の自由端部と上記取付リングとの間に自由回転具を設けてなることを特徴とするものであり、又、請求項３記載の考案は、上記留め具は装飾体からなることを特徴とするものであり、又、請求項４記載の考案は、上記留め具に上記眼鏡フレームのテンプルを挿通可能な保持穴部を設けてなることを特徴とするものであり、又、請求項５記載の考案は、上記紐体の長さを上記取付リングに眼鏡フレームの一方のテンプルが挿通された状態のテンプルを使用者の胸ポケットに吊下可能な長さに設けてなることを特徴とするものである。
【考案の効果】
【０００６】
本考案は上述の如く、請求項１記載の考案にあっては、折り返し状の紐体に留め具を挿着し、使用者の首回りにループを周回し、ネクタイとして使用することになり、この際、上記紐体の一方の自由端部に設けられた取付リングに眼鏡フレームの一方のテンプルを挿通することにより眼鏡フレームを耳から外したときに首から眼鏡フレームを吊り下げることができ、眼鏡使用中に不用意に眼鏡が地面に落下することを防ぐことができ、眼鏡の付け外しを容易に行うこともでき、眼鏡の紛失も防ぐこともでき、ループタイの用途に加えて眼鏡吊下機能を付加することができ、ループタイの使用の融通性を高めることができる。
【０００７】
又、請求項２記載の考案にあっては、上記紐体の一方の自由端部と上記取付リングとの間に自由回転具を設けてなるから、眼鏡フレームの回転による捩れを無くすことができ、使用の利便性を高めることができ、又、請求項３記載の考案にあっては、上記留め具は装飾体からなるので、アクセサリー性を向上することができ、又、請求項４記載の考案にあっては、上記留め具に眼鏡フレームのテンプルを挿通可能な保持穴部を設けているから、眼鏡フレームのテンプルを保持穴部に挿通することにより眼鏡を吊下することができ、一層使用の融通性を高めることができ、又、請求項５記載の考案にあっては、上記紐体の長さを上記取付リングに眼鏡フレームの一方のテンプルが挿通された状態のテンプル又は眼鏡を使用者の胸ポケットに吊下可能な長さに設けてなるから、眼鏡フレームのテンプル又は眼鏡を使用者の胸ポケットに吊下することができ、一層使用の融通性を高めることができる。
【考案を実施するための最良の形態】
【０００８】
図１乃至図１３は本考案の実施の形態例を示し、図１乃至図５は第一形態例、図６乃至図８は第二形態例、図９乃至図１３は第三形態例である。
【０００９】
図１乃至図５の第一形態例において、１は紐体、２は留め具であって、折り返し状の紐体１に留め具２により使用者Ｗの首回りに周回可能なループＲを形成するようにしている。
【００１０】
この場合、上記留め具２は相対する紐体１の一対の折り返し部１ａ・１ａを挿通可能なリング紐２ａ及びリング紐２ａの中間部を絞り込み可能な筒体２ｂからなる。
【００１１】
３は取付リングであって、眼鏡フレームＦの一方のテンプルＴに挿通可能に形成され、ゴムや合成樹脂により製作され、この場合、上記紐体１の両自由端部１ｂ・１ｂの内の一方の自由端部１ｂに自由回転具４を取付け、この自由回転具４に取付リング３を取り付けて構成している。この自由回転具４としては、例えば筒状体４ａに回転軸体４ｂを抜け止め状態で回転自在に設けられた構造となっており、その他、適宜の構造が用いられる。
【００１２】
又、この場合、上記紐体１の長さを上記取付リング３に眼鏡フレームＦの一方のテンプルＴが挿通された状態のテンプルＴを使用者Ｗの胸ポケットＷ1に吊下可能な長さに形成されている。
【００１３】
この実施の第一形態例は上記構成であるから、折り返し状の紐体１に留め具２を挿着し、使用者Ｗの首回りにループＲを周回し、ネクタイとして使用することになり、この際、紐体１の一方の自由端部１ｂに設けられた取付リング３に眼鏡フレームＦの一方のテンプルＴを挿通することにより眼鏡フレームＦを耳から外したときに首から眼鏡フレームＦを吊り下げることができ、眼鏡使用中に不用意に眼鏡が地面に落下することを防ぐことができ、眼鏡の付け外しを容易に行うこともでき、眼鏡の紛失も防ぐこともでき、ループタイの用途に加えて眼鏡吊下機能を付加することができ、ループタイの使用の融通性を高めることができる。
【００１４】
又、この場合、上記紐体１の一方の自由端部１ｂと上記取付リング３との間に自由回転具４を設けてなるから、眼鏡フレームＦの回転による捩れを無くすことができ、使用の利便性を高めることができ、又、この場合、上記紐体１の長さを上記取付リング３に眼鏡フレームＦの一方のテンプルＴが挿通された状態のテンプルＴ又は眼鏡を使用者の胸ポケットＷ1に吊下可能な長さに設けてなるから、図５の如く、眼鏡フレームＦのテンプルＴ又は眼鏡を使用者の胸ポケットＷ1に吊下することができ、一層使用の融通性を高めることができる。
【００１５】
図６乃至図８の第二形態例は別例構造を示し、この場合、上記留め具２は象牙や水晶等の装飾体２ｃの裏面に相対する紐体１の一対の折り返し部１ａ・１ａを挿通可能な一対の巻込部２ｄ・２ｄをもつリング板２ｅが取り付けて構成されている。
【００１６】
この実施の第二形態例にあっても、上記第一形態例と同様な作用効果を得ることができると共に留め具２は象牙や水晶等の装飾体２ｃからなるので、アクセサリー性を向上することができる。
【００１７】
図９乃至図１３の第三形態例は別例構造を示し、この場合、上記留め具２に眼鏡フレームＦのテンプルＴを挿通可能な保持穴部５を設けて構成している。
【００１８】
この実施の第三形態例にあっても、上記第一形態例と同様な作用効果を得ることができると共に図１３の如く、眼鏡フレームＦのテンプルＴを保持穴部５に挿通することにより眼鏡を吊下することができ、一層使用の融通性を高めることができる。
【００１９】
尚、本考案は上記実施の形態例に限られるものではなく、紐体１、留め具２、取付リング３の構造や形態、大きさ等は適宜変更して設計される。
【００２０】
以上、所期の目的を充分達成することができる。
【図面の簡単な説明】
【００２１】
【図１】本考案の実施の第一形態例の全体正面図である。
【図２】本考案の実施の第一形態例の拡大部分正面図である。
【図３】本考案の実施の第一形態例の部分平断面図である。
【図４】本考案の実施の第一形態例の使用状態図である。
【図５】本考案の実施の第一形態例の使用状態図である。
【図６】本考案の実施の第二形態例の全体正面図である。
【図７】本考案の実施の第二形態例の部分裏面図である。
【図８】本考案の実施の第二形態例の部分平断面図である。
【図９】本考案の実施の第三形態例の全体正面図である。
【図１０】本考案の実施の第三形態例の部分裏面図である。
【図１１】本考案の実施の第三形態例の部分平断面図である。
【図１２】本考案の実施の第三形態例の部分拡大正面図である。
【図１３】本考案の実施の第三形態例の使用状態図である。
【符号の説明】
【００２２】
Ｆ    眼鏡フレーム
Ｔ    テンプル
１    紐体
２    留め具
３    取付リング
４    自由回転具
５    保持穴部
【図１】
0003111314.tif 000003
【図２】
0003111314.tif 000004
【図３】
0003111314.tif 000005
【図４】
0003111314.tif 000006
【図５】
0003111314.tif 000007
【図６】
0003111314.tif 000008
【図７】
0003111314.tif 000009
【図８】
0003111314.tif 000010
【図９】
0003111314.tif 000011
【図１０】
0003111314.tif 000012
【図１１】
0003111314.tif 000013
【図１２】
0003111314.tif 000014
【図１３】
0003111314.tif 000015